(57)【特許請求の範囲】
【請求項１】
不透液性シートと透液性トップシートとの間に吸収体を介在させてなる吸収性物品において、
不透液性シートの上に吸収体を固定し、吸収体の上面を透液性トップシートで被覆するとともに、その両端部を長手方向全域に亘って吸収体に固定し、不透液性シートの幅方向両端部を、吸収体を被覆する透液性トップシートの上面に折り返すとともに、該折返し部の下面と透液性トップシートの上面との間に、先端部が自由端部として起ち上がり形成された横漏れ防止シートの基端部を介挿し、該基端部の上面を不透液性シートの折返し部の下面と固定するとともに、該基端部の下面を透液性トップシートの上面と固定したことを特徴とする吸収性物品。
【請求項２】
不透液性シートと透液性トップシートとの間に吸収体を介在させてなる吸収性物品において、
不透液性シートの上に吸収体を固定し、吸収体の上面を透液性トップシートで被覆するとともに、その両端部を長手方向全域に亘って吸収体に固定し、不透液性シートの幅方向両端部を、吸収体を被覆する透液性トップシートの上面に折り返すとともに、該折返し部の下面と透液性トップシートの上面との間に、長手方向に伸長状態の弾性体が添設され、先端部が自由端部として形成された立上りギャザーの基端部を介挿し、該基端部の上面を不透液性シートの折返し部の下面と固定するとともに、該基端部の下面を透液性トップシートの上面と固定したことを特徴とする吸収性物品。
【請求項３】
横漏れ防止シート又は立上りギャザーを吸収性物品の長手方向全域に介挿した請求項１又は２記載の吸収性物品。
【請求項４】
請求項１〜３のいずれかに記載の吸収性物品を用いたことを特徴とする吸収性物品を使用した体液吸収物品。
【請求項５】
請求項１〜３のいずれかに記載の吸収性物品を用いて、基材上に前記吸収性物品を配置したことを特徴とする吸収性物品を使用した体液吸収物品。
【請求項６】
体液吸収物品が、パンツタイプの紙おむつ，フラットタイプの紙おむつ，失禁用パッド又は生理用ナプキンである請求項４又は５記載の吸収性物品を使用した体液吸収物品。
【発明の詳細な説明】
【技術分野】
【０００１】
本発明は横漏れ防止機構を付加した吸収性物品と、該吸収性物品を使用した使い捨て紙おむつ等の体液吸収物品に関するものである。
【背景技術】
【０００２】
従来から吸収性物品を使用した体液吸収物品として、パンツタイプの紙おむつ，フラットタイプの紙おむつ，失禁用パッド，生理用ナプキン等が広く提供されており、幼児から老人まで日常生活を快適に営むために必要不可欠の物品となっている。例えば、パンツタイプの紙おむつは幼児用から成人向けまで幅広い用途のものが提供されており、尿や水様便等の体液を吸収するために、不透液性シートと透液性トップシートとの間に吸収体を介在させてなる吸収性物品が使用されている。
【０００３】
図８は、従来の吸収性物品を紙おむつに適用した例を示す要部横断面図であり、吸収性物品２１は、不透液性シート２２と透液性トップシート２３との間に粉砕パルプ等からなる吸収体２４を介在させて構成されている。そして、不透液性シート２２の幅方向左右両側部を吸収体２４の上部に折り返し、該折返し部２２ａは吸収体２４の上部において透液性トップシート２３の幅方向両側部上面と吸収体２４の長さ方向全域にわたってホットメルトの接着剤３０によって固定されている。このように吸収体２４の側部を不透液性シート２２で包囲することにより、透液性トップシート２３を通過した尿等が吸収体２４の側部から外部に漏れることを防いでいる。
【０００４】
かかる構成の吸収性物品２１を紙おむつ２７の外装シート２５上に接着剤３０で固定し、吸収性物品２１の外側両側部に位置する外装シート２５に長手方向に伸長状態の弾性体（図示略）が添設され、先端部２６ａが自由端部として形成された立上りギャザー２６の基端部２６ｂを接着剤３０で固定するとともに、立上りギャザー２６の中間部を折り返した不透液性シート２２の上面に接着剤３０で固定して、紙おむつとしている（特許文献１）。
【０００５】
図９は、従来の吸収性物品を紙おむつに適用した他例を示す要部横断面図であり、図８と同一の構成については、同一の符号を付してその説明を省略する。図９に示す構成では、不透液性シート２２の幅方向左右両側部を吸収体２４の上部に折り返し、該折返し部２２ａは吸収体２４の上部において透液性トップシート２３の幅方向両側部下面と吸収体２４の長さ方向全域にわたって接着剤３０で固定されている。また、立上りギャザー２６の中間部は折り返した不透液性シート２２の上面に接着された透液性トップシート２３の両側部に接着剤３０で固定されている（特許文献１）。図８に示す構成と図９に示す構成の相違点は不透液性シート２２の折返し部２２ａを透液性トップシート２３の幅方向両側部の上面に接着するか、下面に接着するかの相違である。
【特許文献１】特許第３２１９６３０号公報
【発明の開示】
【発明が解決しようとする課題】
【０００６】
体液吸収物品、例えば紙おむつの場合は、排泄された尿や水様便等の体液を速やかに吸収体に吸収し、外部に漏れたり、浸み出ることがないようにすることが肝要であり、紙おむつとしての機能とともに、使い勝手に直接的に影響する。特許文献１に示すように、従来の紙おむつにおける吸収性物品２１は、接着剤３０としてホットメルトを使用しており、このホットメルトの量が多いと固化した後にゴワゴワして肌触りが悪くなるため、極力塗布量を少なくしている。そのため、逆にホットメルトの塗布量が不足したり、塗布されなかった箇所が発生するため、液密性が充分に担保されなかったり、或いは体液の量が多かったり、一度の排泄量が多かったり、着用者の体圧がかかると液密性が破られることがある。
【０００７】
図８，図９に示す従来例において、透液性トップシート２３に排泄された尿や水様便等の体液は、透液性トップシート２３を通過して吸収体２４に吸収されるとともに、体液の量が多かったり、一度の排泄量が多かったり、着用者の体圧がかかると透液性トップシート２３を通過する前に、横方向に広がることとなる。そのため、矢印Ｘに示すように図８の構成では、立上りギャザー２６と不透液性シート２２の接着剤３０を突破し、又図９の構成では、立上りギャザー２６と透液性トップシート２３の接着剤３０を突破し、それぞれ不透液性シート２２の外側に漏れ出して吸収性物品２１の側部から横漏れしたり、更には立上りギャザー２６と外装シート２５の接着剤３０から外部に漏れて、身体を汚し不快感を与えるばかりか、寝具や着衣をも汚してしまうこととなる。
【０００８】
このような吸収性物品からの横漏れの問題はパンツタイプの紙おむつ固有のものではなく、フラットタイプの紙おむつや失禁用パッド、或いは生理用ナプキン等の吸収性物品を使用する体液吸収物品全般にそのまま該当するものである。
【０００９】
よって、本発明では横漏れ防止機構を付加した吸収性物品と、該吸収性物品を使用した使い捨て紙おむつ等の体液吸収物品を提供することを目的とし、特には立上りギャザーを採用した紙おむつにおいて、吸収体に吸収されるまでの間に、立上りギャザーの接着部分に溜まったり、排泄された体液が該接着部分から外部に漏れることを防止する紙おむつ用の吸収性物品と該吸収性物品を使用した紙おむつを提供することを目的とする。
【課題を解決するための手段】
【００１０】
本発明は上記目的を達成するために、不透液性シートと透液性トップシートとの間に吸収体を介在させてなる吸収性物品において、不透液性シートの上に吸収体を固定し、吸収体の上面を透液性トップシートで被覆するとともに、その両端部を長手方向全域に亘って吸収体に固定し、不透液性シートの幅方向両端部を、吸収体を被覆する透液性トップシートの上面に折り返すとともに、該折返し部の下面と透液性トップシートの上面との間に、先端部が自由端部として起ち上がり形成された横漏れ防止シートの基端部を介挿し、該基端部の上面を不透液性シートの折返し部の下面と固定するとともに、該基端部の下面を透液性トップシートの上面と固定したことを特徴とする吸収性物品と、該折返し部の下面と透液性トップシートの上面との間に、長手方向に伸長状態の弾性体が添設され、先端部が自由端部として形成された立上りギャザーの基端部を介挿し、該基端部の上面を不透液性シートの折返し部の下面と固定するとともに、該基端部の下面を透液性トップシートの上面と固定したことを特徴とする吸収性物品を提供する。そして、横漏れ防止シート又は立上りギャザーを吸収性物品の長手方向全域に介挿する。
【００１１】
また、前記構成の吸収性物品を用いた吸収性物品を使用した体液吸収物品、及び基材上に前記吸収性物品を配置した吸収性物品を使用した体液吸収物品を提供し、体液吸収物品として、パンツタイプの紙おむつ，フラットタイプの紙おむつ，失禁用パッド又は生理用ナプキンに適用可能である。
【発明の効果】
【００１２】
本発明によれば、横漏れ防止シート或いは立上りギャザーの基端部の上面を不透液性シートの折返し部の下面と固定するとともに、該基端部の下面を透液性トップシートの上面と固定しているため、吸収性物品の透液性トップシートに排泄された体液が吸収体に吸収される前に、排泄量や体圧等によって横方向に広がろうとした場合に、体液は不透液性シートと一体となった横漏れ防止シート或いは立上りギャザーと不透液性シートの折返し部とによって、吸収性物品の長手方向全域に亘って幅方向への移動が阻止され、体液は不透液性シートの内側に留まるため漏れることがない。そして、体液吸収物品が紙おむつの場合には、横漏れ防止シートとして長手方向に伸長状態の弾性体を添設し、先端部が自由端部として形成された立上りギャザーを採用することにより、従来のように立上りギャザーの接着部分から幅方向への横漏れを生じるおそれがなく、立上りギャザーの接着部分からの横漏れを効果的に防ぐことができる。
【発明を実施するための最良の形態】
【００１３】
以下図面に基づいて本発明にかかる吸収性物品及び該吸収性物品を使用した体液吸収物品の最良の実施形態を説明する。図１は本発明にかかる吸収性物品１の全体斜視図であり、図２は図１の中央部横断面模式図、図３は図１の中央部縦断面模式図である。図において、２はポリエチレン、ポリプロピレンなどからなる不透液性シートであり、吸収性物品１に吸収した尿や水様便等の体液を外部に漏らさないためのものであり、体圧がかかった程度では、体液は透液しない。３はポリエチレン，ポリプロピレン，ポリエチレンテレフタレート，レーヨン，コットンなどからなる透液性トップシートであり、吸収性物品１に排泄された尿や水様便等の体液を透過させて吸収体４に素早く吸収させるものである。４は粉砕パルプや高吸水性樹脂などからなる吸収体であり、排泄された尿や水様便等の体液を吸収して保持するものである。
【００１４】
吸収性物品１は、不透液性シート２と透液性トップシート３との間に吸収体４を介在させて構成されている。具体的には、不透液性シート２の上に吸収体４をホットメルト等の接着剤１０で接着して固定し、吸収体４の上面を透液性トップシート３で被覆し、その両端部を長手方向全域に亘ってホットメルト等の接着剤１０で吸収体４に接着して固定する。そして、不透液性シート２の幅方向左右両側部を吸収体４の上部の両端部に折り返し、該折返し部２ａの下面と透液性トップシート３の上面との間に、先端部が自由端部として起ち上がり形成された横漏れ防止シートの基端部を介挿し、該基端部の上面を不透液性シート２の折返し部２ａの下面と固定するとともに、該基端部の下面を透液性トップシート３の上面とホットメルト等の接着剤１０で長手方向全域に接着して固定する。
【００１５】
図示例では、横漏れ防止シートとして、自由端部として形成された先端部５ａの長手方向に伸長状態の１乃至複数本の弾性体６が添設された立上りギャザー５を採用し、該立上りギャザー５の基端部５ｂを介挿して固定している。この立上りギャザー５は、ポリエチレン，ポリプロピレン，ポリエチレンテレフタレートなどからなる撥水性不織布を採用することが適当であり、排泄された体液が吸収体４に吸収されるまでの間、体液の漏れを防止することができる。なお、フラットタイプの紙おむつ，失禁用パッド，生理用ナプキンその他に使用する場合は、立上りギャザー５を採用することなく、起ち上がり形成された横漏れ防止シートであれば採用することができる。
【００１６】
紙おむつにおいても立上りギャザー５を採用することなく、従来のように本発明にかかる吸収性物品１とは別体の立上りギャザーを付加してもよく、或いは吸収性物品１として立上りギャザー５を採用した上で、その外方から別体の立上りギャザーを付加するようにしてもよい。
【００１７】
一方、透液性トップシート３の長手方向の両端部３ａは図３に示すように、吸収体４の長手方向両端部を超えて延長され、その下面を、同様に吸収体４の長手方向両端部を超えて延長された不透液性シート２の長手方向両端部２ｂの上面とホットメルト等の接着剤１０で固定する。
【００１８】
次に、上記した構成の吸収性物品１を、体液吸収物品としてパンツタイプの紙おむつに使用した例を図４〜図６に基づいて説明する。図４はパンツタイプの紙おむつ１１の展開図、図５は図４のＡ−Ａ断面模式図、図６は図４のＢ−Ｂ断面模式図である。図において、１２は基材としての外装シートであり、図示例では外装外側シート１３と外装内側シート１４をホットメルト等の接着剤１０で接着して構成している。この外装外側シート１３及び外装内側シート１４はともにヒートシール可能なポリエチレン，ポリプロピレン，ポリエチレンテレフタレート等の素材からなる不織布からなり、本発明にかかる吸収性物品１を配置して体液吸収物品としてのパンツタイプの紙おむつ１１を構成するものである。
【００１９】
外装外側シート１３と外装内側シート１４からなる外装シート１２は、図４に示すように矩形状のシート材の両端部を所定長さで腹側部材１２ａと背側部材１２ｂとして矩形状に残し、残る中央部を対向して円弧状に刳り抜き、腹側部材１２ａと背側部材１２ｂに連接する股部１２ｃを形成する。そして、この股部１２ｃ上に、吸収性物品１を配置し、ホットメルト等の接着剤１０で接着して固定する。次に吸収性物品１の長手方向の両端部を腹側部材１２ａと背側部材１２ｂを被覆してホットメルト等で接着されるエンド不織布１５で被覆して固定する。また、外装シート１２の長手方向の両端部１２ｄはそれぞれ腹側部材１２ａと背側部材１２ｂに折り返して、エンド不織布１５の長手方向の端部を被覆してホットメルト等の接着剤１０で固定する。そして、腹側部材１２ａと背側部材１２ｂの左右方向の両端部の熱溶着部１２ｅ，１２ｆを互いに当接させ、それぞれヒートシール等の手段で熱溶着することにより、パンツタイプの紙おむつ１１として構成される。
【００２０】
外装シート１２における長手方向の両端部、腹側部材１２ａと背側部材１２ｂ、股部１２ｃにおける外装外側シート１３と外装内側シート１４の間には、それぞれ１乃至副数本のウエスト用の弾性体１６，胴部用の弾性体１７，脚部用の弾性体１８が伸張状態で添設されて、パンツタイプの紙おむつ１１を装着した際に伸縮自在に適度に密着し、紙おむつ１１のずれを防止するとともに、脱着を容易とする。
【００２１】
なお、吸収性物品１をフラットタイプの紙おむつ，失禁用パッド，生理用ナプキンその他の体液吸収物品に使用する場合も、体液吸収物品の特徴に応じて適宜の基材の上に吸収性物品１を配置して固定し、公知の手段によって体液吸収物品を完成させればよい。また、生理用ナプキン等体液吸収物品の用途によっては、基材を使用することなく、吸収性物品１のみで、或いは他の公知の部材と組み合わせて、体液吸収物品とすることも可能である。
【００２２】
上記構成の吸収性物品１あるいはパンツタイプの紙おむつ１１を使用した場合には、透液性トップシート３上に排泄された尿や水様便等の体液は、透液性トップシート３を通過して吸収体４に吸収される。このとき一度の排泄量が多かったり、着用者の体圧がかかったり、或いは吸収体４が既に一定量の体液を吸収して吸収能力が低下している際には、体液は、吸収体４に吸収されるまでに時間を要することとなり、透液性トップシート３から四方に拡散してしまう。その際、長手方向に拡散した体液は、吸収体４が存在するため時間経過とともに外部に漏れることなく、吸収体４に吸収されていく。一方、図２，図５の矢印Ｙに示すように幅方向に拡散した体液は、吸収性物品１の幅方向の端部に到達するが、該端部には横漏れ防止シートとしての立上りギャザー５が、その基端部を不透液性シート２の折返し部２ａの下面と透液性トップシート３の上面に一体として接着されて立ち上がっているため体液に対して壁として立ちはだかり、図７の矢印Ｙに示すように体液は透液性トップシート３に沿って長手方向に移動し、その移動途中に吸収体４に吸収される。よって、幅方向に横漏れすることがない。
【００２３】
上記本発明にかかる紙おむつ１１の吸収性物品１を着用者が側臥位で排尿した場合を想定し、傾けた状態で中央部に人工尿を供給して実験したところ、供給場所で吸収体４に吸収されずに残った人工尿は幅方向に拡散したが立上りギャザー５の基端部によって幅方向への横漏れが阻止され、時間経過とともに全量が吸収体４に吸収された。
【産業上の利用可能性】
【００２４】
以上詳細に説明したように、本発明によれば、横漏れ防止シート或いは立上りギャザーの基端部の上面を不透液性シートの折返し部の下面と固定するとともに、該基端部の下面を透液性トップシートの上面と固定しているため、吸収性物品の透液性トップシートに排泄された体液が吸収体に吸収される前に、排泄量や体圧等によって横方向に広がろうとした場合に、体液は不透液性シートと一体となった横漏れ防止シート或いは立上りギャザーと不透液性シートの折返し部とによって、吸収性物品の長手方向全域に亘って幅方向への移動が阻止されるため、横方向に漏れることがない。すなわち、本発明によれば、体液を不透液性シートの内側に留めることができるため、横漏れを生じることがない。
【００２５】
そして、体液吸収物品が紙おむつの場合には、横漏れ防止シートとして長手方向に伸長状態の弾性体を添設し、先端部が自由端部として形成された立上りギャザーを採用することにより、従来のように立上りギャザーの接着部分から幅方向への横漏れを生じるおそれがなく、立上りギャザーの接着部分からの横漏れを効果的に防ぐことができる。そのため、横漏れ防止機構を付加した吸収性物品と、該吸収性物品を使用した使い捨て紙おむつ等の体液吸収物品に適用して有用である。
【図面の簡単な説明】
【００２６】
【図１】本発明にかかる吸収性物品の全体斜視図。
【図２】図１の中央部横断面模式図。
【図３】図１の中央部縦断面模式図。
【図４】本発明にかかるパンツタイプの紙おむつの展開図。
【図５】図４のＡ−Ａ断面模式図。
【図６】図４のＢ−Ｂ断面模式図。
【図７】本発明にかかる吸収性物品の作用を示す説明図。
【図８】従来の吸収性物品を紙おむつに適用した例を示す要部横断面図。
【図９】従来の吸収性物品を紙おむつに適用した他例を示す要部横断面図。
【符号の説明】
【００２７】
１…吸収性物品
２…不透液性シート
３…透液性トップシート
４…吸収体
５…立上りギャザー
６，１６，１７，１８…弾性体
１０…接着剤
１１…紙おむつ
１２…外装シート
１３…外装外側シート
１４…外装内側シート
１５…エンド不織布
【図１】
0004860591.tif 000002
【図２】
0004860591.tif 000003
【図３】
0004860591.tif 000004
【図４】
0004860591.tif 000005
【図５】
0004860591.tif 000006
【図６】
0004860591.tif 000007
【図７】
0004860591.tif 000008
【図８】
0004860591.tif 000009
【図９】
0004860591.tif 000010